(57)【要約】【課題】バックライトの輝度をユーザが所望する範囲内において照度に基づき設定可能な表示器を提供する。【解決手段】照度センサ１０９と、第１動作モードにおいて、測定により得られた照度とバックライト８４の輝度とを対応付けて格納する対応付け部１３と、第１照度と第１輝度とが対応付けられて格納され、かつ第２照度と第２輝度とが対応付けられて格納された状態で、第１輝度が最小輝度となりかつ第２輝度が最大輝度となるように、第１照度と第２照度との間の照度における輝度を、第１照度と第２照度と第１輝度と第２輝度とに基づいて算出する算出部１４と、第２動作モードにおいて、測定された照度に基づき輝度を設定する設定部１５とを備える。設定部１５は、第１照度と第２照度との間の照度が測定された場合、算出された輝度のうち当該測定により得られた照度に応じた輝度とする。【選択図】図５
2011064761.tif 000002
【特許請求の範囲】
【請求項１】
バックライトを備えた表示器であって、
前記表示器の周囲の照度を測定するセンサと、
第１動作モードにおいて、前記照度が測定されたことに基づき、当該測定により得られた照度を示した照度情報と前記バックライトの輝度を示した輝度情報とを対応付けて記憶装置に格納する対応付け手段と、
第１照度を示した第１照度情報と第１輝度を示した第１輝度情報とが対応付けられて前記記憶装置に格納され、かつ第２照度を示した第２照度情報と第２輝度を示した第２輝度情報とが対応付けられて前記記憶装置に格納された状態において、前記第１輝度が最小輝度となりかつ前記第２輝度が最大輝度となるように、前記第１照度と前記第２照度との間の照度における前記輝度を、前記第１照度と前記第２照度と前記第１輝度と前記第２輝度とに基づいて算出する算出手段と、
第２動作モードにおいて、前記照度が測定されたことに基づき、前記バックライトの輝度を設定する設定手段とを備え、
前記設定手段は、前記第１照度と前記第２照度との間の照度が測定されたことに基づき、前記バックライトの輝度を、前記算出された輝度のうち当該測定により得られた照度に応じた輝度に設定する、表示器。
【請求項２】
前記算出手段は、
前記第１照度と前記第２照度との間の範囲を予め定められた個数の区分に分類し、
前記第１照度と前記第２照度との間の照度における前記輝度を、前記区分毎に算出する、請求項１に記載の表示器。
【請求項３】
前記表示器は、
前記第１動作モードにおいて、入力部を介した指示に基づき、各前記区分において算出された前記輝度を変更する変更手段をさらに備える、請求項２に記載の表示器。
【請求項４】
前記表示器は、第３動作モードおよび前記第２動作モードにおいて、前記区分に対応する第１画像を当該区分毎に表示部に表示させる表示制御手段をさらに備え、
前記対応付け手段は、前記第３動作モードにおいて、前記入力部を介して前記第１画像が選択されたことに基づき、当該選択された第１画像に対応した前記区分と前記輝度情報とを対応付けて記憶装置に格納し、
前記設定手段は、前記第２動作モードにおいて、前記入力部を介して前記第１画像が選択されたことに基づき、前記バックライトの輝度を、当該選択された第１画像に対応した前記区分に対応付けされた輝度情報に基づいて設定する、請求項３に記載の表示器。
【請求項５】
前記記憶装置は、前記区分と前記算出された輝度とを各前記区分に亘り対応付けた対応付け情報を格納するためのデータ領域を複数備え、
前記表示制御手段は、前記第１動作モードにおいて、前記データ領域を特定するための第２画像を当該データ領域毎に前記表示部に表示させ、
前記設定手段は、前記入力部を介して前記第２画像が選択されたことに基づき、当該選択された第２画像により特定されるデータ領域に格納された対応付け情報を用いて、前記バックライトの輝度を設定する、請求項４に記載の表示器。
【請求項６】
前記表示制御手段は、前記第１動作モードにおいて、前記測定された照度を前記表示部に表示させる、請求項４または５に記載の表示器。
【請求項７】
バックライトを備えた表示器における輝度制御方法であって、
前記表示器の周囲の照度を測定するステップと、
第１動作モードにおいて、前記照度が測定されたことに基づき、当該測定により得られた照度を示した照度情報と前記バックライトの輝度を示した輝度情報とを対応付けて記憶装置に格納するステップと、
第１照度を示した第１照度情報と第１の輝度を示した第１輝度情報とが対応付けて前記記憶装置に格納され、かつ第２照度を示した第２照度情報と第２輝度を示した第２輝度情報とが前記記憶装置に対応付けて格納された状態において、前記第１輝度が最小輝度となりかつ前記第２輝度が最大輝度となるように、前記第１照度と前記第２照度との間の照度における前記輝度を、前記第１照度と前記第２照度と前記第１輝度と前記第２輝度とに基づいて算出するステップと、
第２動作モードにおいて、前記照度が測定されたことに基づき、前記バックライトの輝度を設定するステップとを備え、
前記輝度を設定するステップでは、前記第１照度と前記第２照度との間の照度が測定されたことに基づき、前記バックライトの輝度を、前記算出された輝度のうち当該測定により得られた照度に応じた輝度に設定する、輝度制御方法。
【請求項８】
バックライトを備えた表示器を制御するためのプログラムであって、
前記表示器の周囲の照度を測定するステップと、
第１動作モードにおいて、前記照度が測定されたことに基づき、当該測定により得られた照度を示した照度情報と前記バックライトの輝度を示した輝度情報とを対応付けて記憶装置に格納するステップと、
第１照度を示した第１照度情報と第１の輝度を示した第１輝度情報とが対応付けて前記記憶装置に格納され、かつ第２照度を示した第２照度情報と第２輝度を示した第２輝度情報とが前記記憶装置に対応付けて格納された状態において、前記第１輝度が最小輝度となりかつ前記第２輝度が最大輝度となるように、前記第１照度と前記第２照度との間の照度における前記輝度を、前記第１照度と前記第２照度と前記第１輝度と前記第２輝度とに基づいて算出するステップと、
第２動作モードにおいて、前記照度が測定されたことに基づき、前記バックライトの輝度を設定するステップとを、前記表示器に実行させ、
前記輝度を設定するステップでは、前記第１照度と前記第２照度との間の照度が測定されたことに基づき、前記バックライトの輝度を、前記算出された輝度のうち当該測定により得られた照度に応じた輝度に設定する、プログラム。
【発明の詳細な説明】
【技術分野】
【０００１】
本発明は、表示器、輝度制御方法、およびプログラムに関する。特に、照度に応じて輝度を設定する表示器、当該表示器における輝度制御方法、当該表示器を制御するプログラムに関する。
【背景技術】
【０００２】
従来、測定した照度に応じてバックライトの輝度を調整する機器が知られている。
たとえば、特許文献１には、上記機器として車両用モニタ装置が開示されている。当該車両用モニタ装置は、運転室の照度をフォトセンサで検出し、Ａ／Ｄ（Analog／Digital）変換してＣＰＵ（Central Processing Unit）に取り込む。また、車両用モニタ装置は、輝度がかなり大か、中程度か、低いかのいずれのレベルにあるかを判定する。さらに、車両用モニタ装置は、当該判定結果に応じて液晶パネルのバックライトの輝度を、運転室の照度が低いと下げる。車両用モニタ装置は、当該構成により、運転室内でのタッチパネル付きモニタ装置を、日中、夜間に拘わらず見易くしている。
【０００３】
また、特許文献２には、上記機器として、表示装置が開示されている。当該表示装置は、周囲の明るさを検知する照度センサを備える。表示装置は、照度センサが検知する明るさの度合いが高い場合は、明るさの度合いが低い場合に比べてバックライトの発光量を低下させると共に、点灯時における表示ランプの発光量を増加する。
【０００４】
また、特許文献３には、上記機器として、照明制御装置が開示されている。当該照明制御装置は、照明器具に近接した位置に設けられてその場所の照度を測定する照度センサと、照明器具の照度を所定範囲に設定する照度設定器と、照明制御機構とを備えている。照明制御機構は、照度センサによる測定照度が照度設定器で設定された設定範囲に維持されるように照明器具への供給電流を制御する。
【０００５】
特許文献４には、バックライトの輝度を制御することなく、周囲の明るさの違いによる液晶パネル明るさの感じ方を改善することを目的とした画像表示装置が開示されている。当該画像表示装置は、映像信号に応じた映像を表示する液晶パネルを有する液晶表示装置と、液晶パネルの周囲の明るさを検出するセンサからの明るさ情報に基づき、液晶パネルにおける液晶の一対の電極間の電圧を変化させて液晶パネルの輝度特性を補正する映像処理部とを備える。
【先行技術文献】
【特許文献】
【０００６】
【特許文献１】特開平９−１７５２３２号公報
【特許文献２】特開平６−２６５８４８号公報
【特許文献３】特開平１−１７６６９７号公報
【特許文献４】特開２００６−７８７３６号公報
【発明の概要】
【発明が解決しようとする課題】
【０００７】
上記特許文献１〜３の装置や機器は、上述したように、測定した照度に応じてバックライトの輝度を調整することはできる。しかしながら、輝度の調整可能な範囲が装置や機器において予め定められているため、調整後の輝度は、必ずしもユーザが所望する輝度であるとは限らない。たとえば、或るユーザにとっては、設定された輝度が所望する輝度よりも高すぎたり、あるいは低すぎたりすることが生じる。また、特許文献４は、バックライトの輝度を制御する構成ではない。
【０００８】
本願発明は、上記問題点に鑑みなされたものであって、その目的は、バックライトの輝度をユーザが所望する範囲内において照度に基づき設定可能な表示器、当該表示器における輝度制御方法、当該表示器を制御するプログラムを提供することにある。
【課題を解決するための手段】
【０００９】
本発明の表示器は、バックライトを備えた表示器であって、表示器の周囲の照度を測定するセンサと、第１動作モードにおいて、照度が測定されたことに基づき、当該測定により得られた照度を示した照度情報とバックライトの輝度を示した輝度情報とを対応付けて記憶装置に格納する対応付け手段と、第１照度を示した第１照度情報と第１輝度を示した第１輝度情報とが対応付けられて記憶装置に格納され、かつ第２照度を示した第２照度情報と第２輝度を示した第２輝度情報とが対応付けられて記憶装置に格納された状態において、第１輝度が最小輝度となりかつ第２輝度が最大輝度となるように、第１照度と第２照度との間の照度における輝度を、第１照度と第２照度と第１輝度と第２輝度とに基づいて算出する算出手段と、第２動作モードにおいて、照度が測定されたことに基づき、バックライトの輝度を設定する設定手段とを備える。設定手段は、第１照度と第２照度との間の照度が測定されたことに基づき、バックライトの輝度を、算出された輝度のうち当該測定により得られた照度に応じた輝度に設定する。
【００１０】
好ましくは、算出手段は、第１照度と第２照度との間の範囲を予め定められた個数の区分に分類し、第１照度と第２照度との間の照度における輝度を、区分毎に算出する。
【００１１】
好ましくは、表示器は、第１動作モードにおいて、入力部を介した指示に基づき、各区分において算出された輝度を変更する変更手段をさらに備える。
【００１２】
好ましくは、表示器は、第３動作モードおよび第２動作モードにおいて、区分に対応する第１画像を当該区分毎に表示部に表示させる表示制御手段をさらに備える。対応付け手段は、第３動作モードにおいて、入力部を介して第１画像が選択されたことに基づき、当該選択された第１画像に対応した区分と輝度情報とを対応付けて記憶装置に格納する。設定手段は、第２動作モードにおいて、入力部を介して第１画像が選択されたことに基づき、バックライトの輝度を、当該選択された第１画像に対応した区分に対応付けされた輝度情報に基づいて設定する。
【００１３】
好ましくは、記憶装置は、区分と算出された輝度とを各区分に亘り対応付けた対応付け情報を格納するためのデータ領域を複数備える。表示制御手段は、第１動作モードにおいて、データ領域を特定するための第２画像を当該データ領域毎に表示部に表示させる。設定手段は、入力部を介して第２画像が選択されたことに基づき、当該選択された第２画像により特定されるデータ領域に格納された対応付け情報を用いて、バックライトの輝度を設定する。
【００１４】
好ましくは、表示制御手段は、第１動作モードにおいて、測定された照度を表示部に表示させる。
【００１５】
本発明の輝度制御方法は、バックライトを備えた表示器における輝度制御方法であって、表示器の周囲の照度を測定するステップと、第１動作モードにおいて、照度が測定されたことに基づき、当該測定により得られた照度を示した照度情報とバックライトの輝度を示した輝度情報とを対応付けて記憶装置に格納するステップと、第１照度を示した第１照度情報と第１の輝度を示した第１輝度情報とが対応付けて記憶装置に格納され、かつ第２照度を示した第２照度情報と第２輝度を示した第２輝度情報とが記憶装置に対応付けて格納された状態において、第１輝度が最小輝度となりかつ第２輝度が最大輝度となるように、第１照度と第２照度との間の照度における輝度を、第１照度と第２照度と第１輝度と第２輝度とに基づいて算出するステップと、第２動作モードにおいて、照度が測定されたことに基づき、バックライトの輝度を設定するステップとを備える。輝度を設定するステップでは、第１照度と第２照度との間の照度が測定されたことに基づき、バックライトの輝度を、算出された輝度のうち当該測定により得られた照度に応じた輝度に設定する。
【００１６】
本発明のプログラムは、バックライトを備えた表示器を制御するためのプログラムであって、表示器の周囲の照度を測定するステップと、第１動作モードにおいて、照度が測定されたことに基づき、当該測定により得られた照度を示した照度情報とバックライトの輝度を示した輝度情報とを対応付けて記憶装置に格納するステップと、第１照度を示した第１照度情報と第１の輝度を示した第１輝度情報とが対応付けて記憶装置に格納され、かつ第２照度を示した第２照度情報と第２輝度を示した第２輝度情報とが記憶装置に対応付けて格納された状態において、第１輝度が最小輝度となりかつ第２輝度が最大輝度となるように、第１照度と第２照度との間の照度における輝度を、第１照度と第２照度と第１輝度と第２輝度とに基づいて算出するステップと、第２動作モードにおいて、照度が測定されたことに基づき、バックライトの輝度を設定するステップとを、表示器に実行させる。輝度を設定するステップでは、第１照度と第２照度との間の照度が測定されたことに基づき、バックライトの輝度を、算出された輝度のうち当該測定により得られた照度に応じた輝度に設定する。
【発明の効果】
【００１７】
バックライトの輝度をユーザが所望する範囲内において照度に基づき設定可能となるといった効果を奏する。
【図面の簡単な説明】
【００１８】
【図１】表示器の外観を示した図である。
【図２】表示器として機能するコンピュータシステムのハードウェア構成を表わすブロック図である。
【図３】表示器の動作の概念を説明するための図である。
【図４】表示器の動作概要を説明するための図である。
【図５】表示器を示したブロック図である。
【図６】通常運転の動作モードにおける、タッチパネルにおける表示部の表示画面の状態を示した図である。
【図７】図６に示した領域Ｍ１と領域Ｍ２と領域Ｍ３とに対してタッチ操作が順次行なわれた後の表示画面の状態を示した図である。
【図８】ユーザのタッチ操作によって、図７に示した「オフライン」の画像が選択された後の表示画面の状態を示した図である。
【図９】ユーザのタッチ操作によって、図８に示した「輝度設定」の画像が選択された後の表示画面の状態を示した図である。
【図１０】ユーザのタッチ操作によって、図９に示した「自動」の画像が選択された後の表示画面の状態を示した図である。
【図１１】ユーザのタッチ操作によって、図１０に示した「メモリ」の画像が選択された後の表示画面の状態を示した図である。
【図１２】ユーザのタッチ操作によって、図９に示した「手動」の画像が選択された後の表示画面の状態を示した図である。
【図１３】ユーザのタッチ操作によって、図１２に示した「メモリ」の画像が選択された後の表示画面の状態を示した図である。
【図１４】記録情報を示した図である。
【図１５】輝度割付情報を示した図である。
【図１６】表示器１において輝度の設定を行なうための処理の流れを示したフローチャートである。
【図１７】図１６のステップＳ１０における処理の詳細を示したフローチャートである。
【図１８】図１７のステップＳ１０６における処理の詳細を示したフローチャートである。
【図１９】図１８のステップＳ２０６における処理の詳細を示した図である。
【図２０】図１９のステップＳ３１２における処理の詳細を示した図である。
【図２１】図１９のステップＳ３１２における処理の詳細を示した図であって、図２０のステップＳ４１６に続く処理を示した図である。
【図２２】図１８のステップＳ２１０における処理の詳細を示した図である。
【図２３】図２２のステップＳ５１２における処理の詳細を示した図である。
【図２４】最小輝度と最大輝度と中間輝度とを利用して、通常運転の動作モードにおいてバックライトの輝度を調整する構成を説明するための図である。
【図２５】照度と輝度との関係を変更する機能を備えた表示器のブロックを示した図である。
【図２６】変更部を用いて区分４の輝度を変更した場合を示した図である。
【図２７】輝度割付情報を３つ記憶装置に格納可能とした表示器における表示画面を示した図である。
【図２８】複数の輝度割付情報を格納した構成の一例としての他の輝度割付情報を示した図である。
【図２９】手動設定モードにおいて照度情報と輝度情報との対応付けを示した情報を予め複数設定する場合における表示画面を示した図である。
【発明を実施するための形態】
【００１９】
本発明に係る表示器について、図１〜図２９に基づいて説明すると、以下のとおりである。なお、以下の説明では、同一の部材について同一の符号を付している。それらの名称および機能も同じである。したがって、それらについての詳細な説明は繰返さない。
【００２０】
＜１．表示器の外観＞
図１は、表示器１の外観を示した図である。図１に示されるように、表示器１は、タッチパネル１０８を備えている。なお、本実施の形態では、「タッチパネル」とは、入力装置としてのパネルと表示装置とを備えた機器をいう。表示器１は、表示器１の側面および／または裏面に、通信用のコネクタや電源供給用のコネクタなどの各種コネクタ（図示せず）を備えている。表示器１は、たとえば、タッチパネル式のプログラマブル表示器である。
【００２１】
なお、表示器１は、必ずしも、タッチパネル１０８を備える構成でなくてもよい。表示器１は、表示装置とタッチパネル式以外の入力装置とを備える構成であってもよい。あるいは、表示器１は、当該入力装置に接続可能な表示装置であってもよい。
【００２２】
＜２．ハードウェア構成＞
図２は、表示器１として機能するコンピュータシステム１００のハードウェア構成を表わすブロック図である。図２に示されるように、コンピュータシステム１００は、主たる構成要素として、プログラムを実行するＣＰＵ１０１と、コンピュータシステム１００の使用者による指示の入力を受ける操作キー１０６およびタッチパネル１０８と、ＣＰＵ１０１によるプログラムの実行により生成されたデータ、又は操作キー１０６若しくはタッチパネル１０８を介して入力されたデータを格納するＲＡＭ１０３と、データを不揮発的に格納するＲＯＭ１０２と、メモリカードリーダライタ１０４と、スピーカ１０５と、通信ＩＦ１０７と、照度センサ１０９と、センサアンプ１１０とを含む。各構成要素は、相互にデータバスによって接続されている。メモリカードリーダライタ１０４には、メモリカード１０４１が装着される。以下では、ＲＡＭ１０３は、不揮発性のＲＡＭであるとして説明する。なお、操作キーとは、たとえば電源投入キーやリセットキーなどのハードウェアキーである。
【００２３】
コンピュータシステム１００における処理は、各ハードウェアおよびＣＰＵ１０１により実行されるソフトウェアによって実現される。このようなソフトウェアは、ＲＯＭ１０２に予め記憶されている場合がある。また、ソフトウェアは、メモリカード１０４１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、メモリカードリーダライタ１０４その他の読取装置によりその記憶媒体から読み取られて、あるいは、通信ＩＦ１０７を介してダウンロードされた後、ＲＯＭ１０２に一旦格納される。そのソフトウェアは、ＣＰＵ１０１によってＲＯＭ１０２から読み出され、ＲＡＭ１０３に実行可能なプログラムの形式で格納される。ＣＰＵ１０１は、そのプログラムを実行する。
【００２４】
同図に示されるコンピュータシステム１００を構成する各構成要素は、一般的なものである。したがって、本発明の本質的な部分は、ＲＡＭ１０３、ＲＯＭ１０２、メモリカード１０４１その他の記憶媒体に格納されたソフトウェア、あるいはネットワークを介してダウンロード可能なソフトウェアであるともいえる。なお、コンピュータシステム１００の各ハードウェアの動作は周知であるので、詳細な説明は繰り返さない。
【００２５】
なお、記録媒体としては、メモリカードに限られず、ＣＤ−ＲＯＭ、ＦＤ（Flexible  Disk）、ハードディスク、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード（メモリカードを除く）、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。
【００２６】
ここでいうプログラムとは、ＣＰＵにより直接実行可能なプログラムだけでなく、ソースプログラム形式のプログラム、圧縮処理されたプログラム、暗号化されたプログラム等を含む。
【００２７】
＜３．動作概要＞
表示器１は、照度に応じてタッチパネル１０８（詳しくは、タッチパネル１０８のバックライト）の輝度を自動調整する機能を有している。また、表示器１は、ユーザが予め設定した輝度の範囲内で、上記自動調整を行なう。以下、表示器１の動作概要について説明する。
【００２８】
図３は、表示器１の動作の概念を説明するための図である。図３に示されるように、表示器１は、輝度の設定を行なう動作モードにおいて、或る環境下で照度Ｉ１を検出したとする。このとき、ユーザは、ユーザにとって適切な輝度（図３では、輝度Ｌ１）を表示器１において設定する。また、表示器１が、他の環境下において照度Ｉ２を検出したとする。このとき、ユーザは、ユーザにとって適切な輝度（図３では、輝度Ｌ２）を表示器１において設定する。なお、図３では、照度Ｉ１＜照度Ｉ２、輝度Ｌ１＜輝度Ｌ２の例を示している。
【００２９】
表示器１は、輝度の設定を行なう動作モードから通常運転の動作モード（第２動作モード）に切換わると、輝度の自動調整を行なうために、関数ｆｓ（Ｉ）に基づいて輝度を自動調整する。たとえば、表示器１は、照度Ｉｘの環境下においては、タッチパネル１０８の輝度を輝度Ｌｘに調整する。
【００３０】
なお、関数ｆｓ（Ｉ）は、照度Ｉ１と輝度Ｌ１と、照度Ｉ２と輝度Ｌ２とに基づき設定される。また、Ｉ１＜Ｉｘ＜Ｉ２、かつＬ１＜Ｌｘ＜Ｌ２である。また、輝度Ｌｘ＝ｆｓ（Ｉｘ）である。また、照度Ｉ１以下では輝度Ｌ＝Ｌ１であり、照度Ｉ２以上では輝度Ｌ＝Ｌ２である。
【００３１】
図４は、表示器１の動作概要を説明するための図である。つまり、図４は、図３で示した概念を具体化して示した図である。図４に示されるように、表示器１は、照度Ｉ１と照度Ｉ２との間の範囲（Ｉ１〜Ｉ２）を複数の区分に分割する。なお、図４では、表示器１は、当該範囲を８つの区分に均等に分割した例を示している。
【００３２】
表示器１は、輝度Ｌが照度Ｉに応じて段階的に変化するよう、かつ各区分において輝度Ｌの値が一定となるように、輝度Ｌを設定する。なお、図４は、隣接する区分との輝度の差が各区分で一定となるように、輝度Ｌを設定する例を示している。
【００３３】
表示器１は、輝度の設定を行なう動作モードから通常運転の動作モードに切換わると、輝度の自動調整を行なうために、階段状の関数ｆｔ（Ｉ）に基づいて輝度を自動調整する。
【００３４】
以上のように、表示器１は、輝度の設定を行なうモードにおいて、第１照度に対応させて第１輝度（最小輝度）を設定し、第２照度に対応させて第２輝度（最大輝度）を設定しておくことにより、通常運転の動作モードにおいて、上記最小輝度と上記最大輝度との間の輝度であって、かつ測定した照度に応じた輝度に、バックライトの輝度を調整することが可能となる。
【００３５】
このように、ユーザは、表示器１において、最小輝度と最大輝度とをそれぞれ照度に対応付けて格納可能となる。また、ユーザは、通常運転の動作モードにおいて、上記最小輝度と上記最大輝度との間の輝度であって、かつ測定された照度に応じた輝度で表示器１に表示される画像を視認することができる。
【００３６】
以下では、図４に示した照度Ｉと輝度Ｌとの関係を有する表示器１を実現するための具体的構成について説明する。
【００３７】
＜４．ブロック＞
図５は、表示器１を示したブロック図である。図５に示されるように、表示器１は、制御部１０と、記憶装置２０と、タッチパネル１０８と、照度センサ１０９と、センサアンプ１１０とを備えている。制御部１０は、表示制御部１１と、動作モード切換部１２と、対応付け部１３と、算出部１４と、設定部１５とを含む。タッチパネル１０８は、表示部８１と、入力部８２と、ドライバ回路８３と、バックライト８４とを含む。
【００３８】
表示部８１は、たとえば液晶モニタである。入力部８２は、位置入力装置である。ドライバ回路８３は、バックライト８４の輝度を制御する。バックライト８４は、表示部８１の表示面全体に略均一な光を照射する。バックライトとしては、たとえば、ＬＥＤ（Light Emitting Diode）、冷陰極管を用いることができる。
【００３９】
記憶装置２０は、ＲＯＭ１０２、ＲＡＭ１０３で構成される（図２参照）。記憶装置２０には、少なくとも、後述する、記録情報ＤＡ１（図１４参照）と、輝度割付情報ＤＡ２（図１５参照）とが格納される。
【００４０】
照度センサ１０９は、表示器１の周囲の照度を測定する。照度センサ１０９は、たとえば、表示部８１の表示画面の周囲（筐体部分）に設置される。照度センサ１０９は、センシングにより得られた信号（アナログ信号）を、センサアンプ１１０に送る。
【００４１】
センサアンプ１１０は、アナログ信号を増幅するとともに、当該増幅したアナログ信号をデジタル信号に変換する。センサアンプ１１０は、変換したデジタル信号を、制御部１０の対応付け部１３に送る。
【００４２】
表示制御部１１は、表示部８１に画像を表示させる。表示制御部１１は、たとえば、輝度の設定を行なう動作モードにおいて、照度センサ１０９が検知した照度を表示部８１に表示させる。表示制御部１１が表示する画像の具体例については、後述する。
【００４３】
動作モード切換部１２は、入力部８２からの指示に応じて、表示器１の動作モードを切換える。ところで、輝度の設定を行なう動作モードは、後述するように、自動設定モード（第１動作モード）と、手動設定モード（第３動作モード）がある。
【００４４】
動作モード切換部１２は、入力部８２から第１の指示を受け付けた場合、表示器１の動作モードを、上記自動設定モードに切換える。また、動作モード切換部１２は、入力部８２からの第２の指示を受け付けた場合、表示器１の動作モードを上記手動設定モードに切換える。また、動作モード切換部１２は、入力部８２から第３の指示を受け付けた場合、表示器１の動作モードを通常運転の動作モードに切換える。動作モード切換部１２は、動作モードを切換える度に、対応付け部１３、算出部１４、設定部１５に、切換えた後の動作モードを特定するための情報を送る。なお、各動作モードへの具体的移行方法については、後述する（図６〜図１３）。
【００４５】
対応付け部１３は、上記自動設定モードにおいて、照度センサ１０９によって照度が測定されたことに基づき、当該測定により得られた照度を示した照度情報とバックライト８４の輝度を示した輝度情報とを対応付けて記憶装置２０に格納する。なお、当該対応付けされた照度情報と輝度情報とを含む情報が、上記の記録情報ＤＡ１に該当する（図１４参照）。
【００４６】
算出部１４は、第１照度（たとえば図４の照度Ｉ１）を示した第１照度情報と第１輝度（図４の輝度Ｌ１）を示した第１輝度情報とが対応付けられて記憶装置２０に格納され、かつ第２照度（図４の照度Ｉ２）を示した第２照度情報と第２輝度（図４の輝度Ｌ２）を示した第２輝度情報とが対応付けられて記憶装置２０に格納された状態において、以下の処理を行なう。つまり、算出部１４は、２つの照度情報と２つの輝度情報とが上記記録情報ＤＡ１に格納された状態において、以下の処理を行なう。
【００４７】
算出部１４は、記憶装置２０から記録情報ＤＡ１を読み出す。算出部１４は、第１輝度が最小輝度となりかつ第２輝度が最大輝度となるように、第１照度と第２照度との間の照度における輝度を、第１照度と第２照度と第１輝度と第２輝度とに基づいて算出する。
【００４８】
また、算出部１４は、第１照度と第２照度との間の範囲を予め定められた個数の区分に分類する。さらに、算出部１４は、第１照度と第２照度との間の照度における輝度を、上記区分毎に算出する。
【００４９】
具体的には、算出部１４は、輝度Ｌが照度Ｉに応じて段階的に変化するよう、かつ各区分において輝度Ｌの値が一定となるように、輝度Ｌを設定する。また、算出部１４は、隣接する区分との輝度の差が各区分で一定となるように、輝度Ｌを設定する。
【００５０】
算出部１４は、算出した各区分における輝度を示した輝度情報を、当該区分における照度を示した照度情報と対応付けて記憶装置２０に格納する。なお、当該対応付けされた照度情報と輝度情報とを含む情報が、上記の輝度割付情報ＤＡ２に該当する（図１５参照）。
【００５１】
設定部１５は、通常運転の動作モードにおいて、照度センサ１０９によって照度が測定されたことに基づき、バックライト８４の輝度を設定する。なお、設定部１５は、ドライバ回路８３に制御信号を送ることにより、バックライト８４の輝度を設定する。より詳しくは、設定部１５は、記憶装置２０から輝度割付情報ＤＡ２を読み出す。さらに、設定部１５は、第１照度と第２照度との間の照度が測定されたことに基づき、バックライト８４の輝度を、輝度割付情報ＤＡ２に基づいて設定する。つまり、設定部１５は、第１照度と第２照度との間の照度が測定されたことに基づき、バックライト８４の輝度を、算出部１４で算出された輝度のうち当該測定により得られた照度に応じた輝度に設定する。
【００５２】
なお、対応付け部１３の他の機能と、設定部１５の他の機能については、後述する。また、以下では、バックライト８４における輝度の調整可能な範囲が０〜５００カンデラである場合を例に挙げて説明する。
【００５３】
＜５．画面遷移＞
図６は、通常運転の動作モードにおける、タッチパネル１０８における表示部８１の表示画面の状態を示した図である。図６に示されるように、表示制御部１１は、表示部８１に数字の「１」〜「８」を表示させる。表示器１は、領域Ｍ１と領域Ｍ２と領域Ｍ３とに対してタッチ操作が順次行なわれたことを検知した場合、表示画面を遷移する。
【００５４】
図７は、図６に示した領域Ｍ１と領域Ｍ２と領域Ｍ３とに対してタッチ操作が順次行なわれた後の表示画面の状態を示した図である。図７に示されるように、表示制御部１１は、表示部８１の表示画面に、「リセット」を示す画像７０１と、「オフライン」を示す画像７０２と、「戻る」を示す画像７０３とを表示させる。
【００５５】
なお、３つの領域Ｍ１、Ｍ２、Ｍ３に対してタッチ操作を順次行なうと図７の表示画面に遷移する例を挙げて説明しているが、このような構成に限定されるものではない。たとえば、２つの領域Ｍ１、Ｍ２に対してタッチ操作を順次行なうと図７に示した表示画面に遷移するように表示器１を構成してもよい。図７に示した表示画面への遷移方法は特に限定されるものではない。
【００５６】
図８は、ユーザのタッチ操作によって、図７に示した「オフライン」の画像７０１が選択された後の表示画面の状態を示した図である。なお、「オフライン」とは、通常運転の動作モード（オンライン）とは異なる動作モードである。図８に示されるように、表示制御部１１は、複数の選択可能な画像８０１〜８０５を表示画面に表示させる。表示制御部１１は、たとえば、「輝度設定」示す画像８０３、および「戻る」を示す画像８０５を表示画面に表示させる。
【００５７】
図９は、ユーザのタッチ操作によって、図８に示した「輝度設定」の画像８０３が選択された後の表示画面の状態を示した図である。図９に示されるように、表示制御部１１は、「手動」を示した画像９０１と、「自動」を示した画像９０２と、「戻る」を示した画像９０３とを、表示画面に表示させる。
【００５８】
図１０は、ユーザのタッチ操作によって、図９に示した「自動」の画像９０２が選択された後の表示画面の状態を示した図である。図１０に示されるように、表示制御部１１は、「デフォルト」を示した画像１００１と、「メモリ」を示した画像１００２と、「戻る」を示した画像１００３とを、表示画面に表示させる。
【００５９】
なお、タッチ操作により「デフォルト」を示した画像１００１が選択された場合、表示器１は、輝度と照度との関係を、予め表示器１の製造メーカが設定した関係、あるいはユーザが別途設定しておいた関係に設定する。あるいは、タッチ操作により「デフォルト」を示した画像１００１が選択された場合、表示器１は、輝度と照度との関係を、予め表示器１の製造メーカが設定した関係、あるいはユーザが別途設定しておいた関係に設定するとともに、動作モードを通常運転の動作モード（オンライン）に移行してもよい。
【００６０】
図１１は、ユーザのタッチ操作によって、図１０に示した「メモリ」の画像１００２が選択された後の表示画面の状態を示した図である。図１１に示されるように、表示制御部１１は、輝度を設定するためのマトリクス状の画像１１０１と、選択された「記録位置」を表示する領域１１０２と、「現在の照度」を表示する領域１１０３と、「設定輝度」を表示する領域１１０４と、「記録消去」を実行するための領域１１０５と、「戻る」を示す画像１１０６と、「保存」を示す画像１１０７と、「割付」を示す画像１１０８と、「確定」を示す画像１１０９と、記録位置を数字で示した８個の画像１１１１〜１１１８とを、表示画面に表示させる。
【００６１】
なお、表示器１は、「メモリ」の画像１００２が選択された直後において、「割付」を示す画像１１０８と「確定」を示す画像１１０９とを表示する必要はない。たとえば、後述する輝度割付操作の処理（図１９のステップＳ３１２、および図２１参照）において、表示器１は、「保存」を示す画像１１０７が選択されたことに基づき、「割付」を示す画像１１０８を表示してもよい。また、当該輝度割付操作の処理において、表示器１は、「割付」を示す画像１１０８が選択されたことに基づき、「確定」を示す画像１１０９を表示してもよい。より詳しくは、表示器１は、後述するステップＳ４３２が行なわれた後に、「確定」を示す画像１１０９を表示してもよい。
【００６２】
また、「メモリ」の画像１００２が選択された後に「割付」を示す画像１１０８と「確定」を示す画像１１０９とを表示するとともに、当該画像１１０８、１１０９の選択を受け付けないように、表示器１を構成してもよい。なお、当該構成においては、画像１１０８、１１０９の選択ができないことをユーザが視認可能となるように、表示器１は、画像１１０８、１１０９を、「戻る」を示す画像１１０６および「保存」を示す画像１１０７とは異なる表示態様で表示することが好ましい。
【００６３】
また、このような構成を表示器１が採る場合、輝度割付操作の処理（図２１参照）において、表示器１は、「保存」を示す画像１１０７が選択されたことに基づき、「割付」を示す画像１１０８の選択を受け付けない状態から、画像１１０８の選択を受け付ける状態へと移行すればよい。また、当該輝度割付操作の処理において、表示器１は、「割付」を示す画像１１０８が選択されたことに基づき、「確定」を示す画像１１０９の選択を受け付けない状態から、画像１１０９の選択を受け付ける状態へと移行すればよい。より詳しくは、後述するステップＳ４３２が行なわれた後に、表示器１は、「確定」を示す画像１１０９の選択を受け付けない状態から、画像１１０９の選択を受け付ける状態へと移行すればよい。
【００６４】
表示器１においては、輝度の調整可能な範囲である０〜５００カンデラを２５６ステップに分割し、２５６ステップ目が１００％（つまり５００カンデラ）となるように設定している。ユーザが、マトリクス状の画像１１０１において、たとえば２５６ステップ目をタッチ操作により選択することにより、表示器１は、輝度Ｌ＝５００カンデラの設定を行なう。
【００６５】
以下では、一例として、ユーザが、タッチ操作により画像１１１１を選択することにより、表示器１が最小輝度の登録を受け付ける構成とする。さらに、ユーザが、タッチ操作により画像１１１８を選択することにより、表示器１が最大輝度の登録を受け付ける構成とする。なお、最小輝度および最大輝度の登録を受け付ける構成は、このような構成に限定されるものではない。なお、以下では、「記録位置「ｎ」」（ｎ：１〜８の自然数）と表記したときは、表示画面における画像１１１ｎを示すものとする。
【００６６】
図１１に示した表示画面において行なわれる表示器１の動作の詳細については、後述する（図２０、図２１）。なお、図１１および図１０に示した表示画面は、上述した自動設定モードにおける画面である。
【００６７】
図１２は、ユーザのタッチ操作によって、図９に示した「手動」の画像９０１が選択された後の表示画面の状態を示した図である。図１２に示されるように、表示制御部１１は、「デフォルト」を示した画像１２０１と、「メモリ」を示した画像１２０２と、「戻る」を示した画像１２０３とを、表示画面に表示させる。
【００６８】
なお、タッチ操作により「デフォルト」を示した画像１２０１が選択された場合、表示器１は、輝度と照度との関係を、予め表示器１の製造メーカが設定した関係、あるいはユーザが別途設定しておいた関係に設定する。あるいは、タッチ操作により「デフォルト」を示した画像１２０１が選択された場合、表示器１は、輝度と照度との関係を、予め表示器１の製造メーカが設定した関係、あるいはユーザが別途設定しておいた関係に設定するとともに、動作モードを通常運転の動作モード（オンライン）に移行してもよい。
【００６９】
図１３は、ユーザのタッチ操作によって、図１２に示した「メモリ」の画像１２０２が選択された後の表示画面の状態を示した図である。図１３に示されるように、表示制御部１１は、輝度を設定するためのマトリクス状の画像１１０１と、選択された「記録位置」を表示する領域１１０２と、「設定輝度」を表示する領域１１０４と、「記録消去」を実行するための領域１１０５と、「戻る」を示す画像１１０６と、「確定」を示す画像１１０９と、記録位置を数字で示した８個の画像１１１１〜１１１８とを、表示画面に表示させる。
【００７０】
図１３に示した表示画面において行なわれる表示器１の動作の詳細については、後述する（図２３）。なお、図１３および図１２に示した表示画面は、上述した手動設定モードにおける画面である。
【００７１】
＜６．データ＞
図１４は、上述した記録情報ＤＡ１を示した図である。図１４に示されるように、照度が３０ルクスの状態で、ユーザが輝度を５０カンデラ（最小輝度）に設定した場合、対応付け部１３は、照度情報として「３０」と、輝度情報として「５０」とを対応付けて記憶装置２０に格納する。さらに、照度が５９０ルクスの状態で、ユーザが輝度を１２０カンデラ（最大輝度）に設定した場合、対応付け部１３は、照度情報として「５９０」と、輝度情報として「１２０」とを対応付けて記憶装置２０に格納する。
【００７２】
図１５は、上述した輝度割付情報ＤＡ２を示した図である。具体的には、図１５は、算出部１４が、図１４の記録情報ＤＡ１に基づいて、照度３０ルクスから照度５９０ルクスの間の照度における輝度を、８つの区分毎に算出することにより得られた輝度割付情報ＤＡ２を示した図である。なお、各区分の照度の幅は、５９０ルクスから３０ルクスを引いた値（５６０ルクス）を８で割った値（つまり７０ルクス）となる。
【００７３】
図１５および図１４を図４と対応付けて説明すると以下のとおりである。図４の照度Ｉ１は、図１４の照度３０ルクスに対応する。図４の照度Ｉ２は、図１４の照度５９０ルクスに対応する。図４の照度Ｉｘは、図１５の区分「４」の照度の範囲に含まれる。図４の輝度Ｌｘは、図１５の区分「４」における輝度８０カンデラに対応する。
【００７４】
設定部１５は、通常運転の動作モードにおいて、図１５に示した輝度割付情報ＤＡ２に基づいて、バックライト８４の輝度を、当該動作モードにおいて測定された照度に応じた輝度に設定する。
【００７５】
なお、制御部１０は、区分を示す上記各数字「１」〜「８」を、それぞれ、図６および図１１に示した数字「１」〜「８」に対応付ける。すなわち、たとえば、図１１の数字「４」を示した画像１１１４には、照度が２４０ルクス以上で３１０ルクス未満の場合には輝度を８０カンデラに設定するといった情報が対応付けられる。図６および図１１に示した数字「１」〜「８」の利用方法については後述する。
【００７６】
＜７．制御構造＞
図１６は、表示器１において輝度の設定を行なうための処理の流れを示したフローチャートである。図１６に示されるように、ステップＳ２において、表示器１は、通常運転の動作モードにおける表示を行なう。つまり、表示器１は、オンラインにおける各種データの表示を行なう。具体的には、表示器１は、通信ＩＦ１０７（図２参照）を介して入力されたデータを表示部８１に表示する。
【００７７】
ステップＳ４において、表示器１は、予め定められた３箇所の領域（図６の領域Ｍ１、Ｍ２、Ｍ３）に対するタッチ操作に基づく順次のタッチ入力を受け付けたか否かを判断する。表示器１は、順次のタッチ入力を受け付けたと判断した場合（ステップＳ４においてＹＥＳ）、ステップＳ６において、ツールバーを表示する。具体的には、表示器１は、図７に示した画像７０１〜７０３を表示する。表示器１は、順次のタッチ入力を受け付けていないと判断した場合（ステップＳ４においてＮＯ）、処理をステップＳ２に進める。
【００７８】
ステップＳ８において、表示器１は、タッチ操作によって「オフライン」を示す画像７０２（図７参照）が選択されたか否かを判断する。表示器１は、「オフライン」を示す画像７０２が選択されたと判断した場合（ステップＳ８においてＹＥＳ）、ステップＳ１０において、動作モードをオフラインのモードに移行する。
【００７９】
表示器１は、「オフライン」を示す画像７０２が選択されていないと判断した場合（ステップＳ８においてＮＯ）、ステップＳ１２において、タッチ操作によって「リセット」を示す画像７０１（図７参照）が選択されたか否かを判断する。表示器１は、「リセット」を示す画像７０１が選択されたと判断した場合（ステップＳ１２においてＹＥＳ）、ステップＳ１４において、リセット処理を行なう。なお、「リセット処理」とは、表示器１を再起動させることである。
【００８０】
表示器１は、「リセット」を示す画像７０１が選択されていないと判断した場合（ステップＳ１２においてＮＯ）、ステップＳ１６において、タッチ操作によって「戻る」を示す画像７０３（図７参照）が選択されたか否かを判断する。表示器１は、「戻る」を示す画像７０３が選択されたと判断した場合（ステップＳ１６においてＹＥＳ）、処理をステップＳ２に進める。表示器１は、「戻る」を示す画像７０３が選択されていないと判断した場合（ステップＳ１６においてＮＯ）、処理をステップＳ８に進める。
【００８１】
図１７は、図１６のステップＳ１０における処理の詳細を示したフローチャートである。図１７を参照して、ステップＳ１０２において、表示器１は、オフラインメニューの表示を行なう（図８参照）。ステップＳ１０４において、表示器１は、タッチ操作によって「輝度設定」を示した画像８０３が選択されたか否かを判断する。
【００８２】
表示器１は、「輝度設定」を示した画像８０３が選択されたと判断した場合（ステップＳ１０４においてＹＥＳ）、ステップＳ１０６において、動作モードを輝度設定モードに移行する。表示器１は、「輝度設定」を示した画像８０３が選択されていないと判断した場合（ステップＳ１０４においてＮＯ）、ステップＳ１０８において、タッチ操作によって「戻る」を示した画像８０５（図８参照）が選択されたか否かを判断する。
【００８３】
表示器１は、「戻る」を示した画像８０５が選択されたと判断した場合（ステップＳ１０８においてＹＥＳ）、処理を図１６のステップＳ６に進める。表示器１は、「戻る」を示した画像８０５が選択されていないと判断した場合（ステップＳ１０８においてＮＯ）、処理をステップＳ１０４に進める。
【００８４】
図１８は、図１７のステップＳ１０６における処理の詳細を示したフローチャートである。図１８に示されるように、ステップＳ２０２において、表示器１は、輝度設定メニューの表示を行なう（図９参照）。ステップＳ２０４において、表示器１は、タッチ操作によって「自動」を示した画像９０２が選択されたか否かを判断する。
【００８５】
表示器１は、「自動」を示した画像９０２が選択されたと判断した場合（ステップＳ２０４においてＹＥＳ）、ステップＳ２０６において、動作モードを上記自動設定モードに移行する。表示器１は、「自動」を示した画像９０２が選択されていないと判断した場合（ステップＳ２０４においてＮＯ）、ステップＳ２０８において、タッチ操作によって「手動」を示した画像９０１が選択されたか否かを判断する。
【００８６】
表示器１は、「手動」を示した画像９０１が選択されたと判断した場合（ステップＳ２０８においてＹＥＳ）、ステップＳ２１０において、動作モードを上記手動設定モードに移行する。表示器１は、「手動」を示した画像９０１が選択されていないと判断した場合（ステップＳ２０８においてＮＯ）、ステップＳ２１２において、タッチ操作によって「戻る」を示した画像９０３が選択されたか否かを判断する。
【００８７】
表示器１は、「戻る」を示した画像９０３が選択されたと判断した場合（ステップＳ２１２においてＹＥＳ）、処理を図１７のステップＳ１０２に進める。表示器１は、「戻る」を示した画像９０３が選択されていないと判断した場合（ステップＳ２１２においてＮＯ）、処理をステップＳ２０４に進める。
【００８８】
図１９は、図１８のステップＳ２０６における処理の詳細を示した図である。図１９に示されるように、ステップＳ３０２において、表示器１は、輝度自動設定用のメニューの表示を行なう（図１０参照）。ステップＳ３０４において、表示器１は、タッチ操作によって「デフォルト」を示した画像１００１が選択されたか否かを判断する。
【００８９】
表示器１は、「デフォルト」を示した画像１００１が選択されたと判断した場合（ステップＳ３０４においてＹＥＳ）、ステップＳ３０６において、自動設定用のデフォルトとして予め設定された輝度割付情報を記憶装置２０から読み出す。ステップＳ３０８において、表示器１は、読み出した輝度割付情報に基づき、照度と輝度との関係を設定する。
【００９０】
表示器１は、「デフォルト」を示した画像１００１が選択されていないと判断した場合（ステップＳ３０４においてＮＯ）、ステップＳ３１０において、タッチ操作によって「メモリ」を示した画像１００２が選択されたか否かを判断する。表示器１は、「メモリ」を示した画像１００２が選択されたと判断した場合（ステップＳ３１０においてＹＥＳ）、ステップＳ３１２において、輝度割付操作に移行する。
【００９１】
表示器１は、「メモリ」を示した画像１００２が選択されていないと判断した場合（ステップＳ３１０においてＮＯ）、ステップＳ３１４において、タッチ操作によって「戻る」を示した画像１００３が選択されたか否かを判断する。表示器１は、「戻る」を示した画像１００３が選択されたと判断した場合（ステップＳ３１４においてＹＥＳ）、処理を図１８のステップＳ２０２に進める。表示器１は、「戻る」を示した画像１００３が選択されていないと判断した場合（ステップＳ３１４においてＮＯ）、処理をステップＳ３０４に進める。
【００９２】
図２０は、図１９のステップＳ３１２における処理の詳細を示した図である。図２０に示されるように、ステップＳ４０２において、表示器１は、記憶装置２０から輝度割付情報ＤＡ２を読み出す。ステップＳ４０４において、表示器１は、表示部８１に輝度設定操作画面の表示を行なう（図１１参照）。
【００９３】
ステップＳ４０６において、表示器１は、照度センサ１０９から照度情報を取得する。ステップＳ４０８において、表示器１は、照度情報に基づき、照度を表示部８１に表示する。ステップＳ４１０において、表示器１は、タッチ操作によって記録位置「１」または記録位置「８」が選択されたか否かを判断する。詳しくは、表示器１は、画像１１１１または画像１１１８の選択を受け付けたか否かを判断する。
【００９４】
表示器１は、記録位置「１」または記録位置「８」が選択されたと判断した場合（ステップＳ４１０においてＹＥＳ）、ステップＳ４１２において、選択された記録位置を記憶装置２０のワークエリア（図示せず）に一時的に保存する。
【００９５】
ステップＳ４１４において、表示器１は、マトリクス状の画像１１０１に対するタッチ操作によって、輝度の選択を受け付ける。なお、表示器１は、受け付けた輝度を、「設定輝度」を表示する領域１１０４に表示する。ステップＳ４１６において、表示器１は、取得した照度情報と、選択された輝度についての輝度情報とを対応付けて記憶装置２０に一時的に格納する。
【００９６】
表示器１は、記録位置「１」または記録位置「８」が選択されていないと判断した場合（ステップＳ４１０においてＮＯ）、ステップＳ４１８において、「記録消去」を実行するための領域１１０５が選択されたか否かを判断する。表示器１は、「記録消去」を実行するための領域１１０５が選択されたと判断した場合（ステップＳ４１８においてＹＥＳ）、ステップＳ４２０において、記録情報ＤＡ１における照度情報と輝度情報とを消去する。
【００９７】
表示器１は、「記録消去」を実行するための領域１１０５が選択されていないと判断した場合（ステップＳ４１８においてＮＯ）、ステップＳ４２２において、タッチ操作によって「戻る」を示す画像１１０６が選択されたか否かを判断する。表示器１は、「戻る」を示す画像１１０６が選択されたと判断した場合（ステップＳ４２２においてＹＥＳ）、処理を図１９のステップＳ３０２に進める。表示器１は、「戻る」を示す画像１１０６が選択されていないと判断した場合（ステップＳ４２２においてＮＯ）、処理をステップＳ４１０に進める。
【００９８】
図２１は、図１９のステップＳ３１２における処理の詳細を示した図であって、図２０のステップＳ４１６に続く処理を示した図である。図２１に示されるように、ステップＳ４２４において、表示器１は、タッチ操作によって「保存」を示す画像が選択されたか否かを判断する（図１１参照）。表示器１は、「保存」を示す画像が選択されたと判断した場合、ステップＳ４２６において、対応付けた照度情報と輝度情報とを用いて記録情報ＤＡ１を更新する。表示器１は、ステップＳ４２６の後、処理を図２０のステップＳ４０６に進める。
【００９９】
表示器１は、「保存」を示す画像が選択されていないと判断した場合（ステップＳ４２４においてＮＯ）、ステップＳ４２８において、タッチ操作によって「割付」を示す画像１１０８が選択されたか否かを判断する。表示器１は、「割付」を示す画像１１０８が選択されたと判断した場合（ステップＳ４２８においてＹＥＳ）、ステップＳ４３０において、記録情報ＤＡ１において、記録位置「１」と記録位置「８」とにそれぞれ対応するメモリ領域に、図１４に示すとおり、照度情報と輝度情報とが格納されているか否かを判断する。
【０１００】
表示器１は、記録位置「１」と記録位置「８」とにそれぞれ対応するメモリ領域に照度情報と輝度情報とが格納されていると判断した場合（ステップＳ４３０においてＹＥＳ）、ステップＳ４３２において、記録位置「１」の照度（図１４参照）と記録位置「８」の照度との間の照度における輝度を、記録情報ＤＡ１における記録位置「１」および記録位置「８」の輝度情報に基づいて算出する。具体的には、表示器１は、図１４に示す記録情報ＤＡ１に基づいて、図１５に示す輝度割付情報ＤＡ２を作成する。
【０１０１】
表示器１は、記録位置「１」と記録位置「８」とにそれぞれ対応するメモリ領域に照度情報と輝度情報とが格納されていないと判断した場合（ステップＳ４３０においてＮＯ）、ステップＳ４４０においてエラー表示する。表示器１は、ステップＳ４４０の後、処理を図２０のステップＳ４０６に進める。
【０１０２】
表示器１は、「割付」を示す画像１１０８が選択されていないと判断した場合（ステップＳ４２８においてＮＯ）、ステップＳ４３８において、タッチ操作によって「戻る」を示す画像１１０６が選択されたか否かを判断する。表示器１は、「戻る」を示す画像１１０６が選択されたと判断した場合、処理を図１９のステップＳ３０２に進める。表示器１は、「戻る」を示す画像１１０６が選択されていないと判断した場合、処理をステップＳ４２４に進める。
【０１０３】
ステップＳ４３４において、表示器１は、タッチ操作によって「確定」を示す画像１１０９が選択されたか否かを判断する。表示器１は、「確定」を示す画像１１０９が選択されたと判断した場合（ステップＳ４３４においてＹＥＳ）、ステップＳ４３６において、輝度割付情報ＤＡ２を更新する。表示器１は、「確定」を示す画像１１０９が選択されていないと判断した場合（ステップＳ４３４においてＮＯ）、ステップＳ４４２において、タッチ操作によって「戻る」を示す画像１１０６が選択されたか否かを判断する。
【０１０４】
表示器１は、「戻る」を示す画像１１０６が選択されたと判断した場合（ステップＳ４４２においてＹＥＳ）、処理を図１９のステップＳ３０２に進める。表示器１は、「戻る」を示す画像１１０６が選択されていないと判断した場合（ステップＳ４４２においてＮＯ）、処理をステップＳ４３４に進める。
【０１０５】
図２２は、図１８のステップＳ２１０における処理の詳細を示した図である。図２２に示されるように、ステップＳ５０２において、表示器１は、輝度手動設定用のメニューの表示を行なう（図１２参照）。ステップＳ５０４において、表示器１は、タッチ操作によって「デフォルト」を示した画像１２０１が選択されたか否かを判断する。
【０１０６】
表示器１は、「デフォルト」を示した画像１２０１が選択されたと判断した場合（ステップＳ５０４においてＹＥＳ）、ステップＳ５０６において、手動設定用のデフォルトとして予め設定された輝度割付情報を記憶装置２０から読み出す。ステップＳ５０８において、表示器１は、読み出した輝度割付情報に基づき、照度と輝度との関係を設定する。
【０１０７】
表示器１は、「デフォルト」を示した画像１２０１が選択されていないと判断した場合（ステップＳ５０４においてＮＯ）、ステップＳ５１０において、タッチ操作によって「メモリ」を示した画像１２０２が選択されたか否かを判断する。表示器１は、「メモリ」を示した画像１２０２が選択されたと判断した場合（ステップＳ５１０においてＹＥＳ）、ステップＳ５１２において、輝度割付操作に移行する。
【０１０８】
表示器１は、「メモリ」を示した画像１２０２が選択されていないと判断した場合（ステップＳ５１０においてＮＯ）、ステップＳ５１４において、タッチ操作によって「戻る」を示した画像１２０３が選択されたか否かを判断する。表示器１は、「戻る」を示した画像１２０３が選択されたと判断した場合（ステップＳ５１４においてＹＥＳ）、処理を図１８のステップＳ２０２に進める。表示器１は、「戻る」を示した画像１２０３が選択されていないと判断した場合（ステップＳ５１４においてＮＯ）、処理をステップＳ５０４に進める。
【０１０９】
図２３は、図２２のステップＳ５１２における処理の詳細を示した図である。図２３に示されるように、ステップＳ６０２において、表示器１は、記憶装置２０から輝度割付情報を読み出す。ステップＳ６０４において、表示器１は、輝度設定操作画面を表示部８１に表示する（図１３参照）。ステップＳ６０６において、表示器１は、タッチ操作によって記録位置「１」〜「８」のうちいずれかが選択されたか否かを判断する。
【０１１０】
表示器１は、記録位置「１」〜「８」のいずれかが選択されたと判断した場合（ステップＳ６０６においてＹＥＳ）、ステップＳ６０８において、選択された記録位置を記憶装置２０のワークエリア（図示せず）に一時的に保存する。
【０１１１】
ステップＳ６１０において、表示器１は、マトリクス状の画像１１０１に対するタッチ操作によって、輝度の選択を受け付ける。なお、表示器１は、受け付けた輝度を、「設定輝度」を表示する領域１１０４に表示する。ステップＳ６１２において、表示器１は、選択された記録位置に対応した区分と、選択された輝度についての輝度情報とを対応付けて記憶装置２０に格納する。より詳しくは、表示器１の対応付け部１３は、タッチ操作により記録位置（第１画像）が選択されたことに基づき、当該選択された記録位置に対応した区分と、選択された輝度についての輝度情報とを対応付けて記憶装置２０に格納する。
【０１１２】
表示器１は、記録位置「１」〜「８」のいずれかが選択されていないと判断した場合（ステップＳ６０６においてＮＯ）、ステップＳ６１８において、「記録消去」を実行するための領域１１０５が選択されたか否かを判断する。表示器１は、「記録消去」を実行するための領域１１０５が選択されたと判断した場合（ステップＳ６１８においてＹＥＳ）、ステップＳ６２０において、記録情報ＤＡ１における照度情報と輝度情報とを消去する。
【０１１３】
表示器１は、「記録消去」を実行するための領域１１０５が選択されていないと判断した場合（ステップＳ６１８においてＮＯ）、ステップＳ６２２において、タッチ操作によって「戻る」を示す画像１１０６が選択されたか否かを判断する。表示器１は、「戻る」を示す画像１１０６が選択されたと判断した場合（ステップＳ６２２においてＹＥＳ）、処理を図２２のステップＳ５０２に進める。表示器１は、「戻る」を示す画像１１０６が選択されていないと判断した場合（ステップＳ６２２においてＮＯ）、処理をステップＳ６０６に進める。
【０１１４】
＜８．通常運転の動作モード＞
通常運転の動作モードにおける表示器１の動作について説明する。表示器１は、上述したとおり、照度センサ１０９によって照度が測定されたことに基づき、バックライト８４の輝度を設定する。つまり、表示器１は、照度に応じて輝度を自動調整する。
【０１１５】
表示器１は、上記自動調整を実行している際に、タッチ操作によって、図６に示す数字が選択された場合、以下の処理を行なう。すなわち、表示器１は、手動設定モードにおいて選択された数字（第１画像）に対応した区分に対応付けされた輝度情報に基づいた輝度に、表示器１の輝度を強制的に設定する。
【０１１６】
たとえば、自動設定モードにおいて、輝度Ｌ＝１００カンデラを示す輝度情報が区分３に予め対応付けされていたとする。この場合、タッチ操作により数字「３」が選択された場合、表示器１は、バックライト８４の輝度を、自動調整されていた輝度から当該数字「３」に応じた区分「３」の輝度（Ｌ＝１００カンデラ）に変更する。
【０１１７】
以上のように、表示器１は、通常運転の動作モードにおいて、バックライト８４の輝度を手動設定モードで設定しておいた輝度に強制的に変更できる。したがって、表示器１は、単に輝度を自動調整する機能を有する構成に比べて、ユーザの利便性を向上させることができる。
【０１１８】
＜９．変形例＞
（１）上記においては、表示器１は、記録位置「１」が選択されることによって最小輝度を示した輝度情報を記憶装置２０に格納し、記録位置「８」が選択されることによって最大輝度を示した輝度情報を記憶装置２０に格納した（図１４参照）。しかしながら、表示器１は、このような構成に限定されるものではない。
【０１１９】
たとえば、記録位置「１」以外の記録位置が選択されることによって最小輝度を示した輝度情報を記憶装置２０に格納するように表示器１を構成してもよい。また、記録位置「８」以外の記録位置が選択されることによって最大輝度を示した輝度情報を記憶装置２０に格納するように表示器１を構成してもよい。
【０１２０】
また、任意の記録位置が選択されることによって最小輝度を示した輝度情報を記憶装置２０に格納するように表示器１を構成してもよい。また、任意の記録位置が選択されることによって最大輝度を示した輝度情報を記憶装置２０に格納するように表示器１を構成してもよい。
【０１２１】
また、任意の同じ記録位置を選択することによって、最小輝度と最大輝度とを記憶装置２０に格納するように表示器１を構成してもよい。なお、この場合、２つの輝度を設定したとき、輝度の大小に応じて、一方が最大輝度となり、他方が最小輝度となる。
【０１２２】
表示器１は、少なくとも、２つの輝度を各々に照度情報と対応付けて記録情報ＤＡ１として記憶装置２０に格納可能なように構成されていればよい。
【０１２３】
（２）上記においては、記録情報ＤＡ１において、最小輝度と最大輝度とを登録する構成を例に挙げて説明したが、このような構成に限定されるものではない。たとえば、表示器１を最小輝度と最大輝度と中間輝度との登録を受け付ける構成としてもよい。
【０１２４】
図２４は、最小輝度と最大輝度と中間輝度とを利用して、通常運転の動作モードにおいてバックライト８４の輝度を調整する構成を説明するための図である。より詳しくは、図２４は、照度Ｉ１の環境下において記録位置「１」を選択して輝度Ｌ１を登録し、照度Ｉ２の環境下において記録位置「８」を選択して輝度Ｌ２を登録し、さらに、照度Ｉ３の環境下において記録位置「４」を選択して輝度Ｌ３を登録した場合に設定される関数ｆｕ（Ｉ）を説明するための図である。
【０１２５】
この構成の場合には、表示器１は、隣接する区分同士の輝度の差と、区分４の前後で変化させることができる。このため、表示器１は、ユーザにとって、より利便性の高い機器となる。
【０１２６】
なお、中間輝度を用いる構成においても、上記「（１）」で述べたように、記録位置「１」、「４」、「８」が選択されることによって、最小輝度、中間輝度、最大輝度を登録する必要は必ずしもない。表示器１が、３つの輝度の各々を照度情報と対応付けて記録情報として記憶装置２０に格納可能なように構成されていればよい。
【０１２７】
（３）また、図４や図２４に示す関数ｆｔ（Ｉ）、ｆｕ（Ｉ）における照度Ｉと輝度Ｌとの関係を変更可能なように表示器を構成してもよい。
【０１２８】
図２５は、照度と輝度との関係を変更する機能を備えた表示器１Ａのブロックを示した図である。図２５を参照して、表示器１Ａは、制御部１０Ａと、記憶装置２０と、タッチパネル１０８と、照度センサ１０９と、センサアンプ１１０とを備えている。制御部１０Ａは、表示制御部１１と、動作モード切換部１２と、対応付け部１３と、算出部１４と、設定部１５と、変更部１６とを含む。表示器１Ａは、変更部１６を備える点において、表示器１とは異なる。
【０１２９】
変更部１６は、自動設定モードにおいて輝度が一旦設定された後に、当該自動設定モードにおいて、入力部８２を介したタッチ操作に基づき各区分１〜８において算出された輝度を変更する。なお、表示器１は、変更した輝度を用いて、輝度割付情報ＤＡ２を更新する。
【０１３０】
図２６は、変更部１６を用いて区分４（図１５参照）の輝度Ｌを変更した場合を示した図である。図２６に示されるように、表示器１は、タッチ操作に基づき、区分４における輝度Ｌを輝度Ｌ４から輝度Ｌ５に変更する。
【０１３１】
このように、表示器１Ａが変更部１６を備えることにより、一旦輝度が自動的に設定された場合であっても、表示器１Ａは、ユーザが所望とする区分（照度範囲）において輝度Ｌを変更することが可能となる。したがって、表示器１Ａは、ユーザにとって、表示器１よりもさらに利便性に優れた機器となる。
【０１３２】
（４）上記における輝度割付情報ＤＡ２は、１つの照度に対して１つの輝度が設定されている（図１５参照）。しかしながら、これに限定されるものではない。たとえば、表示器１、１Ａは、輝度割付情報ＤＡ２を複数備えていてもよい。すなわち、記憶装置２０は、上記区分と上記算出された輝度とを各区分に亘り対応付けた輝度割付情報ＤＡ２（対応付け情報）を格納するためのデータ領域を複数備えていてもよい。
【０１３３】
図２７は、輝度割付情報ＤＡ２を３つ記憶装置２０に格納可能とした表示器１、１Ａにおける表示画面を示した図である。具体的には、図２７は、図１０において「メモリ」を示した画像１００２がタッチ操作によって選択された後の表示画面の状態を示した図である。図２７に示されるように、表示器１、１Ａは、上記データ領域を特定するための画像２７０１〜２７０３（第２画像）を当該データ領域毎に表示部８１に表示させる。ユーザは、タッチ操作によって画像２７０１〜２７０３のいずれかを選択することにより、表示器１、１Ａは、当該選択された画像に対応付けられたデータ領域に、照度情報と輝度情報とを対応付けて格納可能となる。
【０１３４】
図２８は、複数の輝度割付情報ＤＡ２を格納した構成の一例としての輝度割付情報ＤＡ３を示した図である。図２８に示されるように、輝度割付情報ＤＡ３は、メモリ＿１、メモリ＿２、メモリ＿３のそれぞれに対応して、照度情報と輝度情報とを対応付けて含んでいる。
【０１３５】
また、通常運転の動作モードにおいては、ユーザが、メモリ＿１、メモリ＿２、メモリ＿３のうちのいずれかを選択することにより、表示器１、１Ａは、当該選択された情報に基づき、バックライト８４の輝度を測定された照度に応じて調整する。より詳しくは、表示器１の設定部１５は、タッチ操作により上記データ領域を特定するための画像２７０１〜２７０３の１つが選択されたことに基づき、当該選択された画像により特定される上記データ領域に格納された対応付け情報を用いて、バックライト８４の輝度を設定する。
【０１３６】
以上のように、表示器１、１Ａは、照度情報と輝度情報との対応付けを示した情報を予め複数設定することが可能となるため、照度情報と輝度情報との対応付けを示した情報を１つしか設定することができない構成の表示器に比べて、ユーザにとっての利便性が高くなる。
【０１３７】
図２９は、手動設定モードにおいて照度情報と輝度情報との対応付けを示した情報を予め複数設定する場合における表示画面を示した図である。具体的には、図２９は、図１２において「メモリ」を示した画像１２０２がタッチ操作によって選択された後の表示画面の状態を示した図である。この場合も、通常運転の動作モードにおいては、ユーザが、メモリ＿１、メモリ＿２、メモリ＿３のうちのいずれかを選択することになる。
【０１３８】
（５）表示器１、１Ａの構成を、輝度割付情報ＤＡ２、ＤＡ３をユーザ毎に設定可能な構成としてもよい。たとえば、ユーザが、表示器１、１Ａを利用する際に、ユーザＩＤを入力する構成とし、表示器１、１Ａの記憶装置２０が、ユーザＩＤ毎に輝度割付情報ＤＡ２、ＤＡ３を備えている構成としてもよい。
【０１３９】
（６）上記においては、バックライト８４の輝度の範囲（０〜５００）を２５６ステップに分割した構成を例に挙げて説明した（図１１、図１３）。表示器１、１Ａは、当該分割するステップの数を、タッチ操作に基づいて変更可能な構成としてもよい。
【０１４０】
（７）上記においては、表示器１における輝度の自動調整を図４に示すように段階的に行なう具体例を挙げて説明した。しかしながら、これに限定されるものではない。たとえば、図３に示すように、最小輝度に対応する照度と最大輝度に対応する照度との間において、照度と輝度とが一次関数の関係を有するように輝度を自動調整するように表示器１、１Ａを構成してもよい。あるいは、最小輝度に対応する照度と最大輝度に対応する照度との間において、照度と輝度とが二次関数または三次関数以上の関数の関係を有するように輝度を自動調整するように、表示器１を構成してもよい。また、ユーザが、予め規定された関数の中から用いる関数を選択可能なように表示器１を構成してもよい。
【０１４１】
（８）図２１では、ステップＳ４２８において、「割付」が選択されたか否かを判断した後、ステップＳ４３０において、記録位置「１」と記録位置「８」とにそれぞれ対応するメモリ領域に照度情報と輝度情報とが格納されているか否かを判断した。しかしながら、このような構成に限定されるものではない。
【０１４２】
たとえば、表示器１は、「割付」を示した画像１１０８が選択されたか否かの判断を行なうことなく、記録位置「１」と記録位置「８」とにそれぞれ対応するメモリ領域に照度情報と輝度情報とが格納されているか否かを判断する。そして、表示器１は、当該メモリ領域に照度情報と輝度情報とが格納されていると判断した場合、「保存」を示した画像１１０７の選択および「割付」を示した画像１１０８の選択をタッチ操作によって受け付けることなく、ステップＳ４３６に示したように輝度割付情報ＤＡ２を更新する。このような構成を表示器１が採ることにより、ユーザは、図２１に示した処理を表示器１が行なう場合に比べて、輝度割付情報ＤＡ２の更新を速やかに行なうことができる。
【０１４３】
（９）今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１４４】
１  表示器、１Ａ  表示器、１０  制御部、１０Ａ  制御部、１１  表示制御部、１２  動作モード切換部、１３  対応付け部、１４  算出部、１５  設定部、１６  変更部、２０  記憶装置、８１  表示部、８２  入力部、８４  バックライト、１０８  タッチパネル、１０９  照度センサ、ＤＡ１  記録情報、ＤＡ２  輝度割付情報、ＤＡ３  輝度割付情報。
【図１】
2011064761.tif 000003
【図２】
2011064761.tif 000004
【図３】
2011064761.tif 000005
【図４】
2011064761.tif 000006
【図５】
2011064761.tif 000007
【図６】
2011064761.tif 000008
【図７】
2011064761.tif 000009
【図８】
2011064761.tif 000010
【図９】
2011064761.tif 000011
【図１０】
2011064761.tif 000012
【図１１】
2011064761.tif 000013
【図１２】
2011064761.tif 000014
【図１３】
2011064761.tif 000015
【図１４】
2011064761.tif 000016
【図１５】
2011064761.tif 000017
【図１６】
2011064761.tif 000018
【図１７】
2011064761.tif 000019
【図１８】
2011064761.tif 000020
【図１９】
2011064761.tif 000021
【図２０】
2011064761.tif 000022
【図２１】
2011064761.tif 000023
【図２２】
2011064761.tif 000024
【図２３】
2011064761.tif 000025
【図２４】
2011064761.tif 000026
【図２５】
2011064761.tif 000027
【図２６】
2011064761.tif 000028
【図２７】
2011064761.tif 000029
【図２８】
2011064761.tif 000030
【図２９】
2011064761.tif 000031